(57)【要約】【課題】電磁石ユニットの電磁コイルに接続されたタブ端子に外部電源に接続された相手コネクタを接続する場合と、電磁コイルに接続された雌ネジ付きタブ端子に外部電源に接続された相手電線を接続する場合との双方で共用可能なケースを備えた電磁接触器を提供する。【解決手段】電磁接触器１は、接点機構２１を備えた接点機構部２０と、接点機構２１を駆動する電磁石ユニット３１を備えた電磁石ユニット部３０とを有する電磁接触器本体１０を、ケース６０内に収容してなる。ケース６０は、電磁石ユニット３１の電磁コイル３２に接続されたタブ端子３３に相手コネクタＣを接続する場合に用いられる、相手コネクタＣに嵌合するコネクタハウジング８０と、電磁コイル３２に接続された雌ネジ付きタブ端子３４に外部電源に接続された相手電線Ｗを接続する場合に用いられる端子台ハウジング９１との双方が装着可能なハウジング装着部７０を備える。【選択図】図７
2015176728.tif 000002
【特許請求の範囲】
【請求項１】
接点機構を備えた接点機構部と、前記接点機構を駆動する電磁石ユニットを備えた電磁石ユニット部とを有する電磁接触器本体を、ケース内に収容してなる電磁接触器であって、
前記ケースが、前記電磁石ユニットの電磁コイルに接続されたタブ端子に外部電源に接続された相手コネクタを接続する場合に用いられる、前記相手コネクタに嵌合するコネクタハウジングと、前記電磁石ユニットの電磁コイルに接続された雌ネジ付きタブ端子に外部電源に接続された相手電線を接続する場合に用いられる端子台ハウジングとの双方が装着可能なハウジング装着部を備えていることを特徴とする電磁接触器。
【請求項２】
前記ケースが、前記電磁接触器本体を収容する下部ケースと、該下部ケースに取り付けられて前記下部ケースに収容された前記電磁接触器本体の上方を覆う上部ケースとからなり、前記ハウジング装着部が、前記下部ケースに一体に設けられていることを特徴とする請求項１に記載の電磁接触器。
【請求項３】
前記ハウジング装着部が、前記下部ケースの外壁の外面に設けられると共に、前記コネクタハウジングに設けられたコネクタ装着部と前記端子台ハウジングに設けられた端子台装着部の双方を受容可能な受容溝を有していることを特徴とする請求項２に記載の電磁接触器。
【請求項４】
前記受容溝は、上方が開口するように前記ハウジング装着部の上端から下方に向けて延びるように形成され、前記コネクタハウジング設けられたコネクタ装着部及び前記端子台ハウジングに設けられた端子台装着部の双方が、開口した前記受容溝の上方から下方に向けて受容されることを特徴とする請求項３に記載の電磁接触器。
【請求項５】
前記受容溝には、前記コネクタハウジング設けられたコネクタ装着部を受容した際に前記コネクタ装着部に設けられた係止アームが係止される係止部が形成されていることを特徴とする請求項４に記載の電磁接触器。
【請求項６】
前記下部ケースの外壁には、前記ハウジング装着部に対応する部位に、前記外壁の上縁から下方に向けて切欠かれた切欠部が形成され、前記受容溝に前記コネクタハウジングに設けられたコネクタ装着部が受容された際に、前記コネクタ装着部に形成された第１突起部が前記切欠部の下縁上に載置されるようになっており、前記上部ケースを前記下部ケースに取り付けた際に、前記第１突起部が前記切欠部の下縁と前記上部ケースに設けられた抜け止め突起部との間に挟持されて、前記コネクタハウジングの上下方向の移動が規制されることを特徴とする請求項４又は５に記載の電磁接触器。
【請求項７】
前記受容溝に前記端子台ハウジングに設けられた端子台装着部が受容された際に、前記端子台装着部に形成された第２突起部が前記切欠部の下縁上に載置されるようになっており、前記上部ケースを前記下部ケースに取り付けた際に、前記第２突起部が前記切欠部の下縁と前記上部ケースに設けられた抜け止め突起部との間に挟持されて、前記端子台ハウジングの上下方向の移動が規制されることを特徴とする請求項６に記載の電磁接触器。
【発明の詳細な説明】
【技術分野】
【０００１】
本発明は、接点機構を備えた接点機構部及び接点機構を駆動する電磁石ユニットを備えた電磁石ユニット部を有する電磁接触器本体を、ケースに収容した電磁接触器に関する。
【背景技術】
【０００２】
従来の電磁接触器として、例えば、図２７に示すものが知られている（特許文献１参照）。図２７は、従来の電磁接触器の一例の断面図である。
図２７に示す電磁接触器１０１は、接点機構１１１を備えた接点機構部１１０と、接点機構１１１を駆動する電磁石ユニット１２１を備えた電磁石ユニット部１２０とを有している。
【０００３】
ここで、接点機構１１１は、各々が固定接点を有する複数（例えば２つ）の固定接触子１１２に対し接離自在に配設され、複数の固定接点に当接する第１位置と複数の固定接点から離れる第２位置との間を移動する可動接触子１１３とを備えている。
一方、電磁石ユニット１２１は、可動接触子１１３を駆動するものであり、固定鉄心１１７と、この固定鉄心１１７の下方に対向配置された可動鉄心１１８とを備えている。そして、可動接触子１１３には、可動接触子１１３から下方に延びる可動軸１１４が固定され、この可動軸１１４は、固定鉄心１１７の中央を貫通してその下端において可動鉄心１１８に連結されている。また、電磁石ユニット１２１は、固定鉄心１１７及び可動鉄心１１８を中央部に収容するコイルホルダ１２２を備え、コイルホルダ１２２の外周には電磁コイル１２３が巻装されている。電磁コイル１２３の両端部には、コイル端子１２５が接続されている。また、コイルホルダ１２２の下方には、継鉄１２４が設けられている。そして、可動軸１１４の周囲であって可動鉄心１１８の上方には可動鉄心１１８を下方に付勢して可動接触子１１３を第２位置へ付勢する復帰スプリング１１６が設けられている。また、固定鉄心１１７と可動接触子１１３との間には可動接触子１１３を上方に付勢する接圧ばね１１５が設けられている。
【０００４】
このように構成された電磁接触子１０１において、電磁石ユニット１２１の電磁コイル１２３が非励磁状態にあるときには、固定鉄心１１７及び可動鉄心１１８に電磁吸引力が生じることはなく、復帰スプリング１１６によって可動鉄心１１８が下方に付勢されて可動接触子１１３が第２位置にあり、接点機構１１１が開成状態となっている。
この接点機構１１１の開成状態において、外部電源からコイル端子１２５に電圧が印加されて電磁コイル１２３が励磁されると、固定鉄心１１７と可動鉄心１１８との間で吸引力が発生し、可動鉄心１１８が復帰スプリング１１６に抗して上方に吸引される。可動鉄心１１８の上方への移動に伴って可動軸１１４が上方へ移動すると、接圧ばね１１５のばね力により、可動接触子１１３が可動軸１１４とともに移動して複数の固定接触子１１２の複数の固定接点に当接する。これにより、接点機構１１１が閉成状態となり、外部入力端子（図示せず）から入力される電流が固定接触子１１２、可動接触子１１３、及び固定接触子１１２を通じて外部接続端子（図示せず）に供給されるのである。
【先行技術文献】
【特許文献】
【０００５】
【特許文献１】特開２０１２−２１２６６８号公報
【発明の概要】
【発明が解決しようとする課題】
【０００６】
ところで、図２７に示した電磁接触器１０１などの電磁接触器は、ケース内に収容されて制御盤などの被取付部に取り付けられるのが一般的である。
そして、近年においては、外部電源に接続された相手コネクタを電磁コイルの両端部に接続されたコイル端子に接続する要請と、外部電源に接続された相手電線を電磁コイルの両端部に接続されたコイル端子に接続する要請があり、これら両要請に対応する必要がある。
【０００７】
ここで、図２７に示した電磁接触器１０１においては、電磁コイル１２３の両端部にコイル端子１２５を接続してあり、外部電源に接続された相手コネクタをコイル端子１２５に接続する場合には、電磁接触器１０１を収容したケースに相手コネクタに嵌合するコネクタハウジングを形成し、コイル端子１２５を相手コネクタに設けられた相手コンタクトに接触するタブ端子にしておく必要がある。
【０００８】
また、図２７に示した電磁接触器１０１において、外部電源に接続された相手電線をコイル端子１２５に接続する場合には、電磁接触器１０１を収容したケースに端子台のハウジングを形成し、コイル端子１２５を相手電線に接触する雌ネジ付きタブ端子にしておく必要がある。
つまり、従来の図２７に示した電磁接触器１０１などの電磁接触器においては、外部電源に接続された相手コネクタに電磁コイルに接続されたタブ端子を接続する場合にはコネクタハウジングをケースに一体に形成する。また、外部電源に接続された相手電線に電磁コイルに接続された雌ネジ付きタブ端子を接続する場合には端子台のハウジングをケースに一体に形成し、それぞれの場合に応じ別個の形状のケースを製作する必要があった。このように、形状の異なる別個のケースを製作することになると、ケースの製造コストが高価になってしまうという問題があった。
【０００９】
従って、本発明はこの問題点を解決するためのなされたものであり、その目的は、電磁石ユニットの電磁コイルに接続されたタブ端子に外部電源に接続された相手コネクタを接続する場合と、電磁石ユニットの電磁コイルに接続された雌ネジ付きタブ端子に外部電源に接続された相手電線を接続する場合との双方で共用可能な、電磁接触器本体を収容するケースを備えた電磁接触器を提供することにある。
【課題を解決するための手段】
【００１０】
上記目的を達成するために、本発明のある態様に係る電磁接触器は、接点機構を備えた接点機構部と、前記接点機構を駆動する電磁石ユニットを備えた電磁石ユニット部とを有する電磁接触器本体を、ケース内に収容してなる電磁接触器であって、前記ケースが、前記電磁石ユニットの電磁コイルに接続されたタブ端子に外部電源に接続された相手コネクタを接続する場合に用いられる、前記相手コネクタに嵌合するコネクタハウジングと、前記電磁石ユニットの電磁コイルに接続された雌ネジ付きタブ端子に外部電源に接続された相手電線を接続する場合に用いられる端子台ハウジングとの双方が装着可能なハウジング装着部を備えていることを特徴としている。
【００１１】
ここで、「相手電線」とは、外部電源に接続された電線自体の場合と、外部電源に接続された電線の先端に圧着端子が接続されているときの圧着端子の場合とを含む意である。
この電磁接触器によれば、電磁接触器を収容するケースが、電磁石ユニットの電磁コイルに接続されたタブ端子に外部電源に接続された相手コネクタを接続する場合に用いられる、相手コネクタに嵌合するコネクタハウジングと、電磁石ユニットの電磁コイルに接続された雌ネジ付きタブ端子に外部電源に接続された相手電線を接続する場合に用いられる端子台ハウジングとの双方が装着可能なハウジング装着部を備えている。このため、相手コネクに嵌合するコネクタハウジング及び端子台ハウジングの双方をケースに装着することができ、電磁石ユニットの電磁コイルに接続されたタブ端子に外部電源に接続された相手コネクタを接続する場合と、電磁石ユニットの電磁コイルに接続された雌ネジ付きタブ端子に外部電源に接続された相手電線を接続する場合との双方で共用可能な、電磁接触器本体を収容するケースを備えた電磁接触器を提供できる。これにより、電磁石ユニットの電磁コイルに接続されたタブ端子に外部電源に接続された相手コネクタを接続する場合と、電磁石ユニットの電磁コイルに接続された雌ネジ付きタブ端子に外部電源に接続された相手電線を接続する場合とでケースを別個に製作する必要はなく、ケースの製造コストを安価にすることができる。
【００１２】
また、この電磁接触器において、前記ケースが、前記電磁接触器本体を収容する下部ケースと、該下部ケースに取り付けられて前記下部ケースに収容された前記電磁接触器本体の上方を覆う上部ケースとからなり、前記ハウジング装着部が、前記下部ケースに一体に設けられていることが好ましい。
この電磁接触器によれば、電磁接触器を収容するケースを下部ケースと上部ケースとで構成することにより簡単な構成でケースを提供できるとともに、ハウジング装着部を下部ケースに一体に設けることで、ハウジング装着部を有する下部ケースを一体成形によって形成することが可能となり、ハウジング装着部を有するケースの製造コストを安価にすることができる。
【００１３】
更に、この電磁接触器において、前記ハウジング装着部が、前記下部ケースの外壁の外面に設けられると共に、前記コネクタハウジングに設けられたコネクタ装着部と前記端子台ハウジングに設けられた端子台装着部の双方を受容可能な受容溝を有していることが好ましい。
また、この電磁接触器において、前記受容溝は、上方が開口するように前記ハウジング装着部の上端から下方に向けて延びるように形成され、前記コネクタハウジング設けられたコネクタ装着部及び前記端子台ハウジングに設けられた端子台装着部の双方が、開口した前記受容溝の上方から下方に向けて受容されることが好ましい。
【００１４】
この電磁接触器によれば、コネクタハウジングのコネクタ装着部及び端子台ハウジングの端子台装着部を受容溝に上方から下方に向けて挿入するだけで、コネクタハウジング及び端子台ハウジングをハウジング装着部に装着できるので、コネクタハウジング及び端子台ハウジングのハウジング装着部への装着作業を容易に行なうことができる。また、コネクタハウジングのコネクタ装着部及び端子台ハウジングの端子台装着部がハウジング装着部に装着された際に、コネクタ装着部及び端子台装着部がハウジング装着部の上端から下方に向けて延びるように形成された受容溝に受容されているから、コネクタハウジング及び端子台ハウジングの前後方向の移動を規制することができる。
【００１５】
また、この電磁接触器において、前記受容溝には、前記コネクタハウジング設けられたコネクタ装着部を受容した際に前記コネクタ装着部に設けられた係止アームが係止される係止部が形成されていることが好ましい。
この電磁接触器によれば、コネクタハウジングのハウジング装着部に対する上方向の抜け止めを行うことができる。
【００１６】
また、この電磁接触器において、前記下部ケースの外壁には、前記ハウジング装着部に対応する部位に、前記外壁の上縁から下方に向けて切欠かれた切欠部が形成され、前記受容溝に前記コネクタハウジングに設けられたコネクタ装着部が受容された際に、前記コネクタ装着部に形成された第１突起部が前記切欠部の下縁上に載置されるようになっており、前記上部ケースを前記下部ケースに取り付けた際に、前記第１突起部が前記切欠部の下縁と前記上部ケースに設けられた抜け止め突起部との間に挟持されて、前記コネクタハウジングの上下方向の移動が規制されることが好ましい。
【００１７】
この電磁接触器によれば、コネクタハウジングのハウジング装着部に対する上下方向の抜け止めを確実に行なうことができる。
また、この電磁接触器において、前記受容溝に前記端子台ハウジングに設けられた端子台装着部が受容された際に、前記端子台装着部に形成された第２突起部が前記切欠部の下縁上に載置されるようになっており、前記上部ケースを前記下部ケースに取り付けた際に、前記第２突起部が前記切欠部の下縁と前記上部ケースに設けられた抜け止め突起部との間に挟持されて、前記端子台ハウジングの上下方向の移動が規制されることが好ましい。
この電磁接触器によれば、端子台ハウジングのハウジング装着部に対する上下方向の抜け止めを確実に行なうことができる。
【発明の効果】
【００１８】
本発明に係る電磁接触器によれば、電磁接触器を収容するケースが、電磁石ユニットの電磁コイルに接続されたタブ端子に外部電源に接続された相手コネクタを接続する場合に用いられる、相手コネクタに嵌合するコネクタハウジングと、電磁石ユニットの電磁コイルに接続された雌ネジ付きタブ端子に外部電源に接続された相手電線を接続する場合に用いられる端子台ハウジングとの双方が装着可能なハウジング装着部を備えている。このため、相手コネクタに嵌合するコネクタハウジング及び端子台ハウジングの双方をケースに装着することができ、電磁石ユニットの電磁コイルに接続されたタブ端子に外部電源に接続された相手コネクタを接続する場合と、電磁石ユニットの電磁コイルに接続された雌ネジ付きタブ端子に外部電源に接続された相手電線を接続する場合との双方で共用可能な、電磁接触器本体を収容するケースを備えた電磁接触器を提供できる。これにより、電磁石ユニットの電磁コイルに接続されたタブ端子に外部電源に接続された相手コネクタを接続する場合と、電磁石ユニットの電磁コイルに接続された雌ネジ付きタブ端子に外部電源に接続された相手電線を接続する場合とでケースを別個に製作する必要はなく、ケースの製造コストを安価にすることができる。
【図面の簡単な説明】
【００１９】
【図１】本発明に係る電磁接触器の第１実施形態の斜視図であり、相手コネクタを共に示している。
【図２】図１に示す電磁接触器の正面図である。
【図３】図１に示す電磁接触器の右側面図である。
【図４】図１に示す電磁接触器の平面図である。
【図５】図２における５−５線に沿う一部断面図である。
【図６】図４における６−６線に沿う断面図である。
【図７】図１に示す電磁接触器の分解斜視図である。
【図８】図１に示す電磁接触器の分解斜視図であり、コネクタハウジングの背面側を示している。
【図９】図７に示す電磁接触器を分解した状態からコネクタハウジングを電磁接触器本体に取付けた状態の図である。
【図１０】図９に示すコネクタハウジングを電磁接触器本体に取付けた状態から電磁接触器本体を下部ケース内に収容した状態の図である。
【図１１】コネクタハウジングを示し、（Ａ）は正面図、（Ｂ）は右側面図である。
【図１２】コネクタハウジングを示し、（Ａ）は背面図、（Ｂ）は背面側から視た斜視図である。
【図１３】本発明に係る電磁接触器の第２実施形態の斜視図であり、相手電線を共に示している。
【図１４】図１３に示す電磁接触器の正面図である。
【図１５】図１３に示す電磁接触器の右側面図である。
【図１６】図１３に示す電磁接触器の平面図である。
【図１７】図１４における１７−１７線に沿う一部断面図である。
【図１８】図１５における１８−１８線に沿う断面図である。
【図１９】図１３に示す電磁接触器の分解斜視図である。
【図２０】図１３に示す電磁接触器の分解斜視図であり、端子台ハウジングを備えた端子台の背面側を示している。
【図２１】図１９に示す電磁接触器を分解した状態から端子台ハウジングを備えた端子台を電磁接触器本体に取付けた状態の図である。
【図２２】図２１に示す端子台ハウジングを備えた端子台を電磁接触器本体に取付けた状態から電磁接触器本体を下部ケース内に収容した状態の図である。
【図２３】端子台を構成する端子台ハウジングとネジ付き端子と電磁コイルに接続された雌ネジ付きタブ端子とを示す斜視図である。
【図２４】端子台を構成する端子台ハウジングとネジ付き端子と電磁コイルに接続された雌ネジ付きタブ端子とを示す右側面図である。
【図２５】端子台を示し、（Ａ）は平面図、（Ｂ）は正面図、（Ｃ）右側面図である。
【図２６】端子台を示し、（Ａ）は背面図、（Ｂ）は背面側から視た斜視図である。
【図２７】従来の電磁接触器の一例の断面図である。
【発明を実施するための形態】
【００２０】
以下、本発明を実施するための形態（以下、実施形態という。）を、図面を参照しながら詳細に説明する。
先ず、図１乃至図１２（Ａ），（Ｂ）を参照して本発明に係る電磁接触器の第１実施形態について説明する。
図１に示す電磁接触器１は、電磁接触器本体１０（図７乃至図１０参照）と、この電磁接触器本体１０を収容するケース６０とで構成されている。
【００２１】
ここで、電磁接触器本体１０は、内部に接点機構２１（図５参照）を備えた接点機構部２０と、内部に接点機構２１を駆動する電磁石ユニット３１を備えた電磁石ユニット部３０とを有している。接点機構２１は、図示しない一対の固定接触子と、これら一対の固定接触子に対して接離自在に配置された図示しない可動接触子とを備えている。電磁石ユニット部３０は、図５、図７及び図８に示すように、鉄製の筐体３０ａ内に電磁石ユニット３１を配置している。そして、電磁石ユニット３１は、図５、図７及び図８に示すように、電磁コイル３２を有し、接点機構２１の可動接触子を駆動するようになっている。
【００２２】
なお、図１乃至図１０に示す電磁接触器１の電磁コイル３２の両端には、外部電源（図示せず）に電線Ｗを介して接続されたコネクタＣが接続される金属製の一対のタブ端子３３が接続されている。各タブ端子３３は、図７に示すように、筐体３０ａから外部に突出するように絶縁体３３ａを介して筐体３０ａに固定されている。相手コネクタＣには、電線Ｗに接続された図示しない金属製の雌型コンタクトが設けられている。相手コネクタＣが後述するコネクタハウジング８０の嵌合フード部８２に嵌合すると、相手コネクタＣに設けられた雌型コンタクトがタブ端子３３に接触するようになっている。
【００２３】
また、ケース６０は、図１乃至図１０に示すように、電磁接触器本体１０を収容する下部ケース４０と、下部ケース４０に取り付けられて下部ケース４０に収容された電磁接触器本体１０の上方を覆う上部ケース５０とからなっている。
ここで、下部ケース４０は、絶縁性の合成樹脂を成形することによって形成されるものであり、図１乃至図１０に示すように、外壁を構成する前端壁４１と、前端壁４１に対して後方に配置された後端壁４２と、前端壁４１及び後端壁４２の右側縁を連結する右側壁４３と、前端壁４１及び後端壁４２の左側縁を連結する左側壁４４と、これら前端壁４１、後端壁４２、右側壁４３及び左側壁４４の底部を連結する底壁４５とを備えている。また、下部ケース４０の前端壁４１及び後端壁４２には、制御盤などの被取付部（図示せず）への取り付け部４６が設けられている。
【００２４】
そして、下部ケース４０の前端壁４１の外面４１ａには、図１乃至図５及び図７乃至図１０に示すように、略矩形状のハウジング装着部７０が一体に設けられている。
このハウジング装着部７０は、電磁石ユニット３１の電磁コイル３２に接続されたタブ端子３３に外部電源に接続された相手コネクタＣ（図１参照）を接続する場合に用いられる、相手コネクタＣに嵌合するコネクタハウジング８０と、電磁接触器の第２実施形態（図１３乃至図２６参照）で説明する、電磁石ユニット３１の電磁コイル３２に接続された雌ネジ付きタブ端子３４に外部電源に接続された相手電線Ｗを接続する場合に用いられる端子台ハウジング９１との双方を装着可能とするものである。端子台ハウジング９１の装着については後述する。
【００２５】
ハウジング装着部７０に装着されるコネクタハウジング８０は、相手コネクタＣが嵌合されるものであり、図１１（Ａ），（Ｂ）及び図１２（Ａ），（Ｂ）に示すように、略矩形板状のコネクタ装着部８１と、コネクタ装着部８１の前面から前方に延びる嵌合フード部８２とを備えている。コネクタハウジング８０は、絶縁性の合成樹脂を成形することによって形成される。そして、コネクタ装着部８１の略中央部には、図１に示す一対のタブ端子３３が挿通可能な２つのタブ用開口８１ａが設けられている。また、コネクタ装着部８１の上端には、コネクタ装着部８１に対して左右幅方向に突出するストッパ部８１ｂが設けられている。そして、コネクタ装着部８１の左右幅方向両下端部には、下端に係止突起８３ａを有する弾性変形可能な一対の係止アーム８３が下方に延びるように設けられている。更に、コネクタ装着部８１の後面の略中央部には、図１２（Ａ），（Ｂ）に示すように、２つのタブ用開口８１ａを囲ってコネクタ装着部８１から後方に向けて突出する第１突起部８４が設けられている。この第１突起部８４は、２つのタブ用開口８１ａの上方において左右幅方向に延びる第１突部８４ａと、２つの開口８１ａの下方において左右幅方向に延びる第２突部８４ｂと、第１突部８４ａ及び第２突部８４ｂの左端部を連結する第３突部８４ｃと、第１突部８４ａ及び第２突部８４ｂの右端部を連結する第４突部８４ｄと、第１突部８４ａから上方に延びる一対の第５突部８４ｅとを備えている。
【００２６】
そして、ハウジング装着部７０は、コネクタハウジング８０のコネクタ装着部８１を受容可能な略矩形形状の受容溝７１を備えている。この受容溝７１は、図７乃至図９に示すように、上方が開口するようにハウジング装着部７０の上端から下方に向けて延びるよう形成され、コネクタ装着部８１が、開口した受容溝７１の上方から下方に向けて受容されるようになっている。
【００２７】
また、受容溝７１の左右幅方向両下端部には、図２、図３及び図７乃至図９に示すように、コネクタ装着部８１が受容された際に、コネクタ装着部８１に形成された一対の係止アーム８３の係止突起８３ａが係止される一対の係止部７２が形成されている。各係止部７２は、具体的には、係止突起８３ａが入り込む係止用開口で形成される。
また、ハウジング装着部７０が設けられた下部ケース４０の前端壁４１には、図６乃至図９に示すように、ハウジング装着部７０に対応する部位に、前端壁４１の上縁から下方に向けて切欠かれた切欠部４１ｂが形成されている。受容溝７１にコネクタハウジング８０のコネクタ装着部８１が受容された際に、図５及び図６に示すように、コネクタ装着部８１に設けられた第１突起部８４（具体的には、第２突部８４ｂ）が切欠部４１ｂの下縁４１ｃ上に載置される。そして、上部ケース５０を下部ケース４０に取付けると、第１突起部８４は切欠部４１ｂの下縁４１ｃと上部ケース５１に設けられた後述の抜け止め突起部５１ａとの間に挟持されて、コネクタハウジング８０の上下方向の移動が規制されるようになっている。
【００２８】
次に、下部ケース４０に取り付けられる上部ケース５０は、絶縁性の合成樹脂を成形することによって形成されるものであり、図１乃至図１０に示すように、前端壁５１と、前端壁５１に対して後方に配置された後端壁５２と、前端壁５１及び後端壁５２の右側縁を連結する右側壁５３と、前端壁５１及び後端壁５２の左側縁を連結する左側壁５４と、これら前端壁５１、後端壁５２、右側壁５３及び左側壁５４の頂部を連結する頂壁５５とを備えている。上部ケース５０の右側壁５３及び左側壁５４のそれぞれには、下部ケース４０の右側壁４３及び左側壁４４のそれぞれに形成された複数の係止用開口４７に係止される複数の係止突起５６が設けられている。また、上部ケースの前端壁５１には、上部ケース５０を下部ケース４０に取付けた際に、コネクタハウジング８０の第１突起部８４を切欠部４１ｂの下縁４１ｃとの間で挟持する抜け止め突起部５１ａが設けられている。
【００２９】
このように構成された電磁接触器１を組み立てる際には、先ず、図７乃至図９に示すように、コネクタハウジング８０に形成した２つのタブ用開口８１ａに電磁接触器本体１０の２つのタブ端子３３を挿通させて、コネクタハウジング８０を電磁接触器本体１０に取付ける。この際に、コネクタハウジング８０の嵌合フード部８２が前方に位置するとともに係止アーム８３が下方になるようにコネクタハウジング８０を電磁接触器本体１０に取付ける。コネクタハウジング８０を電磁接触器本体１０に取付けると、２つのタブ端子３３が図９に示すようにコネクタハウジング８０の嵌合フード部８２内に位置し、コネクタハウジング８０と２つのタブ端子３３とでコネクタを構成する。
【００３０】
次いで、図１０に示すように、電磁接触器本体１０を下部ケース４０内に収容する。この際に、コネクタハウジング８０のコネクタ装着部８１を、ハウジング装着部７０に設けられた受容溝７１の上方から下方に向けて挿入する。すると、コネクタ装着部８１に形成された一対の係止アーム８３の係止突起８３ａがハウジング装着部７０に形成された一対の係止部７２に係止される。つまり、各係止突起８３ａが開口で形成された係止部７２に入り込む。これにより、コネクタハウジング８０のコネクタ装着部７０に対する上方向の抜け止めがなされる。また、コネクタ装着部８１が受容溝７１内に受容されることから、コネクタハウジング８０の前後方向の抜け止めがなされる。また、受容溝７１にコネクタハウジング８０のコネクタ装着部８１が受容された際に、図５及び図６に示すように、コネクタ装着部８１に設けられた第１突起部８４（具体的には、第２突部８４ｂ）が切欠部４１ｂの下縁４１ｃ上に載置される。また、コネクタハウジング８０のコネクタ装着部８１を、ハウジング装着部７０に設けられた受容溝７１の上方から下方に向けて挿入すると、コネクタハウジング８０のストッパ部８１ｂがハウジング装着部７０の上面に当接してコネクタハウジング８０の下方への移動が規制される。
【００３１】
その後、図１乃至図５に示すように、上部ケース５０を下部ケース４０の上方から下部ケース４０に取付け、電磁接触器本体１０の上方を覆う。これにより、電磁接触器１の組立ては終了する。この際に、上部ケース５０の係止突起５６が下部ケース４０の係止用開口４７に係止され、上部ケース５０の抜け止めがなされる。また、上部ケース５０の抜け止め突起部５１ａが、図５及び図６に示すように、第１突起部８４の第５突部８４ｅを押圧し、切欠部４１ｂの下縁４１ｃとの間でコネクタハウジング８０の第１突起部８４を挟持する。これにより、コネクタハウジング８０の上下方向の移動が規制される。
【００３２】
そして、外部電源に接続された電線Ｗに接続された相手コネクタＣを、図１の矢印方向に進行させて、コネクタハウジング８０の嵌合フード部８２に嵌合すると、相手コネクタＣに設けられた雌型コンタクトがタブ端子３３に接触し、外部電源が電磁コイル３２に接続されるのである。
次に、図１３乃至図２６（Ａ），（Ｂ）を参照して本発明に係る電磁接触器の第２実施形態について説明する。図１３乃至図２６（Ａ），（Ｂ）において、図１乃至図１２（Ａ），（Ｂ）に示す部材と同一の部材については同一の符号を付し、その説明を省略することがある。
【００３３】
図１３に示す電磁接触器１は、図１に示す電磁接触器１と同様に、電磁接触器本体１０（図１９乃至図２２参照）と、この電磁接触器本体１０を収容するケース６０とで構成されている。ここで、電磁接触器本体１０は、図１に示す電磁接触器１を構成する電磁接触器１０と構成は同一であり、また、ケース６０は、図１に示す電磁接触器１を構成するケース６０と構成は同一であり、その説明は省略する。
【００３４】
ただし、電磁接触器１０の電磁コイル３２の両端には、図１乃至図９に示したタブ端子３３が接続されずに、図１３及び図２３に示すように、外部電源（図示せず）に相手電線Ｗ（具体的には、相手電線Ｗの先端に接続された圧着端子Ｔ）が接続される金属製の一対の雌ネジ付きタブ端子３４が接続されている。各雌ネジ付きタブ端子３４の中央には、図２３に示すように、雌ネジ部３４ａが形成されている。電磁コイル３２の両端は、図１９及び図２０に示す電磁石ユニット部３０の筐体３０ａに形成された開口３０ｂから導出され、図２３に示すように、それら両端に一対の雌ネジ付きタブ端子３４が接続される。
【００３５】
また、図１に示す電磁接触器１においては、下部ケース４０に設けられたハウジング装着部７０に、端子台ハウジング９１が装着可能となっている。端子台ハウジング９１は、図１に示すコネクタハウジング８０と異なり、相手コネクタＣを嵌合させるものではなく、電磁石ユニット３１の電磁コイル３２に接続された雌ネジ付きタブ端子３４に外部電源に接続された相手電線Ｗを接続する場合に用いられるものである。
【００３６】
ここで、端子台ハウジング９１は、図２５（Ａ），（Ｂ），（Ｃ）及び図２６（Ａ），（Ｂ）に示すように、左右幅方向及び上下方向に延びる略矩形状の基板部９１ａを有している。そして、基板部９１ａの後面には、後方に突出する略矩形板状の端子台装着部９１ｂが設けられている。端子台装着部９１ｂは、図１６及び図１７に示すように、ハウジング装着部７０に形成された受容溝７１内に、開口した受容溝７１の上方から下方に向けて受容されるようになっている。また、基板部９１ａの前面には、前方に突出する２対の側壁部９１ｅが設けられている。そして、各対の側壁部９１ｅ間には、図２３、図２５（Ａ），（Ｂ），（Ｃ）及び図２６（Ａ），（Ｂ）に示すように、基板部９１ａを貫通するように雌ネジ付きタブ端子３４を取り付けるための取付部９１ｃが設けられている。また、端子台装着部９１ｂの後面の略中央部には、図２３乃至図２６（Ａ），（Ｂ）に示すように、後方に突出する第２突起部９１ｄが設けられている。更に、図２３乃至図２６（Ａ），（Ｂ）に示すように、第２突起部９１ｄの下方には、第２突起部９１ｄから下方に突出し、受容溝７１内に入り込む抜け止め突起９１ｆが設けられている。
【００３７】
そして、電磁コイル３２に接続された雌ネジ付きタブ端子３４は、図２３乃至図２６（Ａ），（Ｂ）に示すように、雌ネジ付きタブ端子３４の上面が一対の側壁部９１ｅ間で露出するように端子台ハウジング９１の後方から端子台ハウジング９１の取付部９１ｃに取り付けられる。また、端子台ハウジング９１に取付けられた雌ネジ付きタブ端子３４には、図２３乃至図２６（Ａ），（Ｂ）に示すように、雌ネジ付きタブ端子３４の上方からネジ付き端子９２が螺合するようになっている。ネジ付き端子９２は、端子板９２ａと、端子板９２ａに取り付けられ、雌ネジ付きタブ端子３４の雌ネジ部３４ａに螺合する雄ネジ９２ｂとからなっている。端子台ハウジング９１と、雌ネジ付きタブ端子３４と、ネジ付き端子９２とにより端子台９０を構成する。そして、外部電源に接続された相手電線Ｗの先端に接続された圧着端子Ｔ（図１３参照）は、雌ネジ付きタブ端子３４とネジ付き端子９２の端子板９２ａとの間に挟持されることにより、雌ネジ付きタブ端子３４に接続されるようになっている。
【００３８】
このように構成された図１３に示す電磁接触器１を組み立てる際には、先ず、図２３乃至図２６（Ａ），（Ｂ）に示すように、電磁コイル３２に接続された２つの雌ネジ付きタブ端子３４を各雌ネジ付きタブ端子３４の上面が各一対の側壁部９１ｅ間で露出するように端子台ハウジング９１の後方から端子台ハウジング９１の取付部９１ｃに取付ける。次いで、ネジ付き端子９２の雄ネジ９２ｂを雌ネジ付きタブ端子３４の雌ネジ部３４ａに螺合してネジ付き端子９２を雌ネジ付きタブ端子３４に固定する。これにより、図２１に示すように、電磁接触器本体１０に端子台９０が装着される。
【００３９】
次いで、図２２に示すように、電磁接触器本体１０を下部ケース４０内に収容する。この際に、端子台ハウジング９１の端子台装着部９１ｂを、ハウジング装着部７０に設けられた受容溝７１の上方から下方に向けて挿入する。すると、抜け止め突起９１ｆが受容溝７１内に入り込む。これにより、端子台装着部９１ｂが受容溝７１内に受容され、且つ抜け止め突起９１ｆが受容溝７１内に入り込むことから、端子台ハウジング９１の前後方向の抜け止めがなされる。また、受容溝７１に端子台ハウジング９１の端子台装着部９１ｂが受容された際に、図１７及び図１８に示すように、端子台装着部９１ｂに設けられた第２突起部９１ｄが切欠部４１ｂの下縁４１ｃ上に載置される。
【００４０】
その後、図１３至図１８に示すように、上部ケース５０を下部ケース４０の上方から下部ケース４０に取付け、電磁接触器本体１０の上方を覆う。これにより、電磁接触器１の組立ては終了する。この際に、上部ケース５０の係止突起５６が下部ケース４０の係止用開口４６に係止され、上部ケース５０の抜け止めがなされる。また、上部ケースの抜け止め突起部５１ａが、図１７及び図１８に示すように、第２突起部９１ｄを押圧し、切欠部４１ｂの下縁４１ｃとの間で端子台ハウジング９１の第２突起部９１ｄを挟持する。これにより、端子台ハウジング９１の上下方向の移動が規制される。
【００４１】
そして、ネジ付き端子９２を雌ネジ付き端子９４から取り外し、外部電源に接続された相手電線Ｗの先端に接続された圧着端子Ｔを、図１３に示す矢印方向に進行させて、端子台９０の雌ネジ付き端子３４上に圧着端子Ｔを配置し、ネジ付き端子９２の雄ネジ９２ａを雌ねじ付き端子３４に螺合固定する。これにより、相手電線Ｗに設けられた圧着端子Ｔは、雌ネジ付き端子３４とネジ付き端子９２の端子板９２ｂとの間に挟持されて端子台９０に接続され、外部電源が電磁コイル３２に接続されるのである。
【００４２】
以上説明したように、第１実施形態及び第２実施形態に係る電磁接触器１によれば、電磁接触器１を収容するケース６０が、電磁石ユニット３１の電磁コイル３２に接続されたタブ端子３３に外部電源に接続された相手コネクタＣを接続する場合に用いられる、相手コネクタＣに嵌合するコネクタハウジング８０と、電磁石ユニット３１の電磁コイル３２に接続された雌ネジ付きタブ端子３４に外部電源に接続された相手電線Ｗを接続する場合に用いられる端子台ハウジング９１との双方が装着可能なハウジング装着部７０を備えている。このため、相手コネクＣに嵌合するコネクタハウジング８０及び端子台ハウジング９１の双方をケース６０に装着することができ、電磁石ユニット３１の電磁コイル３２に接続されたタブ端子３３に外部電源に接続された相手コネクタＣを接続する場合と、電磁石ユニット３１の電磁コイル３２に接続された雌ネジ付きタブ端子３４に外部電源に接続された相手電線Ｗを接続する場合との双方で共用可能な、電磁接触器本体を収容するケース６０を備えた電磁接触器１を提供できる。これにより、電磁石ユニット３１の電磁コイル３２に接続されたタブ端子３３に外部電源に接続された相手コネクタＣを接続する場合と、電磁石ユニット３１の電磁コイル３２に接続された雌ネジ付きタブ端子３４に外部電源に接続された相手電線Ｗを接続する場合とでケース６０を別個に製作する必要はなく、ケース６０の製造コストを安価にすることができる。
【００４３】
また、この電磁接触器１において、ケース６０が、電磁接触器本体１０を収容する下部ケース４０と、下部ケース４０に取り付けられて下部ケース４０に収容された電磁接触器本体１０の上方を覆う上部ケース５０とからなる。そして、ハウジング装着部７０が、下部ケース４０に一体に設けられている。
これにより、電磁接触器１を収容するケース６０を下部ケース４０と上部ケース５０とで構成することにより簡単な構成でケース６０を提供できるとともに、ハウジング装着部７０を下部ケース４０に一体に設けることで、ハウジング装着部７０を有する下部ケース４０を一体成形によって形成することが可能となり、ハウジング装着部７０を有するケース６０の製造コストを安価にすることができる。
【００４４】
更に、この電磁接触器１において、ハウジング装着部７０が、下部ケース４０の前端壁４１の外面４１ａに設けられると共に、コネクタハウジング８０に設けられたコネクタ装着部８１と端子台ハウジング９１に設けられた端子台装着部９１ｄの双方を受容可能な受容溝７１を有している。そして、この受容溝７１は、上方が開口するようにハウジング装着部７０の上端から下方に向けて延びるように形成され、コネクタハウジング８０設けられたコネクタ装着部８１及び端子台ハウジング９１に設けられた端子台装着部９１ｄの双方が、開口した受容溝７１の上方から下方に向けて受容される。このため、コネクタハウジング８０のコネクタ装着部８１及び端子台ハウジング９１の端子台装着部９１ｄを受容溝７１に上方から下方に向けて挿入するだけで、コネクタハウジング８０及び端子台ハウジング９１をハウジング装着部７０に装着できるので、コネクタハウジング８０及び端子台ハウジング９１のハウジング装着部７０への装着作業を容易に行なうことができる。また、コネクタハウジング８０のコネクタ装着部８１及び端子台ハウジング９１の端子台装着部９１ｄがハウジング装着部７０に装着された際に、コネクタ装着部８１及び端子台装着部９１ｄがハウジング装着部７０の上端から下方に向けて延びるように形成された受容溝７１に受容されているから、コネクタハウジング８０及び端子台ハウジング９１の前後方向の移動を規制することができる。
【００４５】
更に、この電磁接触器１において、受容溝７１には、コネクタハウジング８０に設けられたコネクタ装着部８１を受容した際にコネクタ装着部８１に設けられた係止アーム８３が係止される係止部７２が形成されている。これにより、コネクタハウジング８０のハウジング装着部７０に対する上方向の抜け止めを行うことができる。
また、この電磁接触器１において、下部ケース４０の前端壁４１には、ハウジング装着部７０に対応する部位に、前端壁４１の上縁から下方に向けて切欠かれた切欠部４１ｂが形成されている。そして、受容溝７１にコネクタハウジング８０に設けられたコネクタ装着部８１が受容された際に、コネクタ装着部に形成された第１突起部８４が切欠部４１ｂの下縁４１ｃ上に載置されるようになっている。また、上部ケース５０を下部ケース４０に取り付けた際に、第１突起部８４は、切欠部４１ｂの下縁４１ｃと上部ケース５０に設けられた抜け止め突起部５１ａとの間に挟持されて、コネクタハウジング８０の上下方向の移動が規制される。これにより、コネクタハウジング８０のハウジング装着部７０に対する上下方向の抜け止めを確実に行なうことができる。
【００４６】
また、電磁接触器１において、受容溝７１に端子台ハウジング９１に設けられた端子台装着部９１ｂが受容された際に、端子台装着部９１ｂに形成された第２突起部９１ｄが切欠部４１ｂの下縁４１ｃ上に載置される。そして、上部ケース５０を下部ケース４０に取り付けた際に、第２突起部９１ｄは、切欠部４１ｂの下縁４１ｃと上部ケース５０に設けられた抜け止め突起部５１ａとの間に挟持されて、端子台ハウジング９１の上下方向の移動が規制される。これにより、端子台ハウジング９１のハウジング装着部７０に対する上下方向の抜け止めを確実に行なうことができる。
【００４７】
以上、本発明の実施形態について説明してきたが、本発明はこれに限定されずに、種々の変更、改良を行うことができる。
例えば、ケース６０は、分割可能であれば、下部ケース４０及び上部ケース５０で構成される場合に限らない。
また、ハウジング装着部７０は、本実施形態のようにケース６０が部ケース４０及び上部ケース５０で構成される場合には、下部ケース４０ではなく、上部ケース５０に設けられても良い。
【００４８】
更に、ハウジング装着部７０は、下部ケース４０の前端壁４１の外面４１ａに設けられる場合に限らず、後端壁４２の外面、右側壁４３の外面、左側壁４４の外面に設けられても良い。
また、切欠部４１ｂは、ハウジング装着部７０に対応する部位であれば、下部ケース４０の前端壁４１に形成される場合に限られない。
また、図１３に示す電磁接触器１においては、外部電源に接続された相手電線Ｗの先端に接続された圧着端子Ｔを端子台９０に接続するようにしてあるが、外部電源に接続された相手電線Ｗ自体を端子台９０に接続するようにしてもよい。
【符号の説明】
【００４９】
１  電磁接触器
１０  電磁接触器本体
２０  接点機構部
２１  接点機構
３０  電磁石ユニット部
３０ａ  筐体
３１  電磁石ユニット
３２  電磁コイル
３３  タブ端子
３４  雌ネジ付きタブ端子
３４ａ  雌ネジ部
４０  下部ケース
４１  前端壁（外壁）
４２  後端壁（外壁）
４３  右側壁（外壁）
４４  左側壁（外壁）
４５  底壁（外壁）
４６  取付部
４７  係止用開口
５０  上部ケース
５１  前端壁
５１ａ  抜け止め突起部
５２  後端壁
５３  右側壁
５４  左側壁
５５  頂壁
５６  係止突起
６０  ケース
７０  ハウジング装着部
７１  受容溝
７２  係止部
８０  コネクタハウジング
８１  コネクタ装着部
８１ａ  タブ用開口
８２  嵌合フード部
８３  係止アーム
８３ａ  係止突起
８４  第１突起部
８４ａ  第１突部
８４ｂ  第２突部
８４ｃ  第３突部
８４ｄ  第４突部
８４ｅ  第５突部
９０  端子台
９１  端子台ハウジング
９１ａ  基板部
９１ｂ  端子台装着部
９１ｃ  取付部
９１ｄ  第２突起部
９１ｅ  側壁部
９１ｆ  抜け止め突起
９２  ネジ付き端子
９２ａ  端子板
９２ｂ  雄ネジ部
Ｃ  相手コネクタ
Ｗ  相手電線
【図１】
2015176728.tif 000003
【図２】
2015176728.tif 000004
【図３】
2015176728.tif 000005
【図４】
2015176728.tif 000006
【図５】
2015176728.tif 000007
【図６】
2015176728.tif 000008
【図７】
2015176728.tif 000009
【図８】
2015176728.tif 000010
【図９】
2015176728.tif 000011
【図１０】
2015176728.tif 000012
【図１１】
2015176728.tif 000013
【図１２】
2015176728.tif 000014
【図１３】
2015176728.tif 000015
【図１４】
2015176728.tif 000016
【図１５】
2015176728.tif 000017
【図１６】
2015176728.tif 000018
【図１７】
2015176728.tif 000019
【図１８】
2015176728.tif 000020
【図１９】
2015176728.tif 000021
【図２０】
2015176728.tif 000022
【図２１】
2015176728.tif 000023
【図２２】
2015176728.tif 000024
【図２３】
2015176728.tif 000025
【図２４】
2015176728.tif 000026
【図２５】
2015176728.tif 000027
【図２６】
2015176728.tif 000028
【図２７】
2015176728.tif 000029